(57)【要約】【課題】シュレッダーの稼働時間や負荷状況を簡単に把握でき、その状況に基づいた対応を適切にとることができるようにする。【解決手段】モータ２６によって細断機構を駆動して紙葉を切り刻むように構成されるシュレッダー１の制御装置であって、モータ２６が駆動されている時間を計測するタイマ１４と、書き換え可能な記憶手段としてのＥＥＰＲＯＭ１５と、モータ２６の駆動と停止を制御するとともに、モータ２６の駆動が停止する毎にタイマ１４の計測を停止させ、かつ、その間にタイマ１４が計測した値をＥＥＰＲＯＭ１５にモータ２６の稼働累計時間として積算して記憶させる制御手段としてのＣＰＵ１１とを設けたシュレッダーの制御装置。【選択図】図２
2007136264.tif 000002
【特許請求の範囲】
【請求項１】
モータによって細断機構を駆動して紙葉を切り刻むように構成されるシュレッダーの制御装置において、
前記モータが駆動されている時間を計測するタイマと、
書き換え可能な記憶手段と、
前記モータの回転と停止を制御するとともに、前記モータの回転が停止する毎に前記タイマの計測を停止させ、かつ、その間に前記タイマが計測した値を前記記憶手段に前記モータの稼働累計時間として積算して記憶させる制御手段、
とを備えたことを特徴とするシュレッダーの制御装置。
【請求項２】
モータの負荷電流を測定してモータの負荷係数を求め、タイマの計測値に前記負荷係数を乗じて、前記タイマの値を記憶手段に記憶するようにした請求項１記載のシュレッダーの制御装置。
【請求項３】
細断機構から発生する振動及び音の大きさから前記細断機構の負荷係数を求め、タイマの計測値に前記負荷係数を乗じて、前記タイマの値を記憶手段に記憶するようにした請求項１または２に記載のシュレッダーの制御装置。
【請求項４】
タイマと記憶手段と制御手段が、マイクロコンピュータを構成してなる請求項１〜３のいずれかに記載のシュレッダーの制御装置。
【請求項５】
マイクロコンピュータに、記憶手段に記憶された稼働時間情報を外部機器へ出力可能な通信手段を設けてなる請求項４記載のシュレッダーの制御装置。
【発明の詳細な説明】
【技術分野】
【０００１】
本発明は、モータによって細断機構を駆動して不要な紙葉を切り刻むシュレッダーの制御装置に関し、特にメンテナンス等の時期を簡単に知りうるようにしたシュレッダーの制御装置に関する。
【背景技術】
【０００２】
従来より、モータによって細断機構を駆動して紙葉を切り刻むように構成されるシュレッダーは数多く知られている（例えば、特許文献１参照）。この種のシュレッダーは、細断機構における剪断刃等の各種部品が使用によって摩耗するので、定期的及び必要に応じて点検及び交換が必要になる。
【０００３】
しかし、従来のシュレッダーでは、シュレッダーの使用(稼働)状況を記録するような手段は設けられていない。このため、使用者の経験に基づく判断や、設置されてからの時間の経過に応じて、サービスマンが定期点検に訪問し、必要な部品の交換等を、分解作業を伴わせて行っているのが現状である。
【特許文献１】実開昭６１−１２１９５１号公報
【発明の開示】
【発明が解決しようとする課題】
【０００４】
上述したように、従来のシュレッダーでは、シュレッダーの稼働状況を記録するような手段は設けられていなかった。そのため、使用者側の判断で点検サービスを要求したり、設置してからの時間の経過に応じて、サービスマンが定期点検に訪問し、必要な部品の交換等を、分解作業を伴って行っていた。
【０００５】
しかし、シュレッダーの各種部品の摩耗量は、シュレッダーの稼働時間や、その間にモータや細断機構に加わった負荷等によっても大きく異なる。すなわち、稼働時間が少ない場合や、比較的負荷の掛からない紙葉を細断している場所では、部品の摩耗も少なく、頻繁な点検や部品交換も必要としないが、この稼働時間や負荷量はサービスを提供する側では正確に把握することはできない。このため、不必要な部品交換や点検作業を行ったり、反対に部品交換や定期点検の時期が遅れたりすることも考えられる。
【０００６】
本発明は、上述のような従来の課題を解決するためになされたものであって、シュレッダーの稼働時間や負荷状況を簡単に把握でき、その状況に基づいた対応を適切にとることができるようにしたシュレッダーの制御装置を提供することを目的としている。
【課題を解決するための手段】
【０００７】
本発明によると、上記課題は、次のようにして解決される。
（１）モータによって細断機構を駆動して紙葉を切り刻むように構成されるシュレッダーの制御装置において、前記モータが駆動されている時間を計測するタイマと、書き換え可能な記憶手段と、前記モータの回転と停止を制御するとともに、前記モータの回転が停止する毎に前記タイマの計測を停止させ、かつ、その間に前記タイマが計測した値を前記記憶手段に前記モータの稼働累計時間として積算して記憶させる制御手段とを備える。
【０００８】
（２）上記(１)項において、モータの負荷電流を測定してモータの負荷係数を求め、タイマの計測値に前記負荷係数を乗じて、前記タイマの値を記憶手段に記憶する。
【０００９】
（３）上記(１)または(２)項において、細断機構から発生する振動及び音の大きさから前記細断機構の負荷係数を求め、タイマの計測値に前記負荷係数を乗じて、前記タイマの値を記憶手段に記憶する。
【００１０】
（４）上記(１)〜(３)項のいずれかにおいて、タイマと記憶手段と制御手段が、マイクロコンピュータを構成してなる。
【００１１】
（５）上記(４)項において、マイクロコンピュータに、記憶手段に記憶された稼働時間情報を外部機器へ出力可能な通信手段を設ける。
【発明の効果】
【００１２】
請求項１記載の発明によると、記憶手段に記憶された稼働時間情報を読み出すことにより、シュレッダーの累積稼働時間を容易に知り、この累積稼働時間に応じた定期点検作業や部品交換等の管理を適切に行うことができる。
【００１３】
請求項２記載の発明によると、モータに与える負荷をからシュレッダーの負荷量を知り、この負荷量を加味してモータの稼働時間を記憶するので、単なる稼働時間だけでなしに、使用環境も加えた管理が可能になり、より適切な管理が行える。
【００１４】
請求項３記載の発明によると、細断機構から発生する振動及び音の大きさから前記細断機構の負荷量を知り、この負荷量を加味してモータの稼働時間を記憶するので、単なる稼働時間だけでなしに、使用環境も加えた管理が可能にな、より適切な管理が行える。
【００１５】
請求項４記載の発明によると、マイクロコンピュータの制御で、予め決められた手順にしたがって的確に制御することが可能になる。
【００１６】
請求項５記載の発明によると、記憶手段に記憶された稼働時間情報を、通信手段を介して外部機器へ出力することによって、外部からでも容易に知ることができる。
【発明を実施するための最良の形態】
【００１７】
以下、本発明の実施形態を、図面に基づいて説明する。
図１は、本発明の実施形態における制御装置を適用したシュレッダーの外観斜視図を示す。図１において、シュレッダー(１)は、筐体(２)の上面中央部分に文書投入口(３)を有し、上面前側部分に操作パネル(４)を設けている。また、筐体(２)の前面には、扉(５)を設けている。操作パネル(４)には、モータを緊急停止させるストップスイッチ(６)と、後述するモータを正方向に回転させる正転スイッチ(７)およびモータを逆方向に回転させる逆転スイッチ(８)と、運転状態をランプで発光表示する表示部(９)を設けている。
【００１８】
図２は、シュレッダー(１)の制御系を示す機能ブロック図である。図２において、コントローラ(10)はマイクロコンピュータ(通称「マイコン」)である。このコントローラ(10)は、制御手段としてのＣＰＵ(11)に、読み書き可能な記憶手段であるＲＡＭ(12)、読み出し専用の記憶手段であるＲＯＭ(13)、タイマ(14)、読み書き可能で、かつ電源がオフになってもデータを保持し続ける記憶手段としてのＥＥＰＲＯＭ(15)、通信手段であるシリアルポートＳＩＯ(16)、入出力ポートであるＩ／Ｏポート(17)(18)をそれぞれ接続させて構成している。
【００１９】
コントローラ(10)のＩ／Ｏポート(17)には、文書投入口(３)に投入されて来る紙葉を検出する用紙センサ(19)と、操作パネル(４)に設けられたストップスイッチ(６)，正転スイッチ(７)及び逆転スイッチ(８)をそれぞれ有するボタンスイッチ(20)と、用紙センサ(19)以外のその他センサ(21)の他に、モータの負荷電流を連続的に測定するモータ駆動電流検出センサ(22)と、文書投入口(３)から投入されて来る紙葉を細断する細断機構(図示せず)で発生する振動及び音の大きさを検出する振動・騒音検出センサ(23)が接続されている。
【００２０】
コントローラ(10)のＩ／Ｏポート(18)には、操作パネル(４)に表示される各種のランプ(24)を点灯制御する表示ドライバー(25)と、細断機構を駆動するモータ(26)の回転を制御するモータドライバー(27)が接続されている。
【００２１】
コントローラ(10)のシリアルポート(16)には、パソコンや携帯情報端末(ＰＤＡ)等の端末(26)を接続するためのＲＳ２３２Ｃ等でなる信号変換機(29)が接続されている。
【００２２】
ＣＰＵ(11)は、ＲＯＭ(13)及びＲＡＭ(12)に予め格納されているプログラムの手順に従って動作するものであり、図３及び図４はそのプログラムの一例を示すフローチャートである。図３及び図４のフローチャートに基づき、図１及び図２に示すシュレッダー(１)の機能を説明する。
【００２３】
まず、図示を省略したスイッチが投入されていると、通常は、コントローラ(10)がオートスタートに、待機状態になっている。待機状態において、紙葉が文書投入口(３)に投入されると、用紙センサ(19)が紙葉を検出し、この検出信号がＣＰＵ(11)に入力される(ステップS1)。用紙センサ(19)からの検出信号を受けたＣＰＵ(11)は、モータドライバー(27)とタイマ(14)にそれぞれ信号を送り、モータ(26)を正回転させるとともにタイマ(14)の計測をスタートさせる(ステップS２)。また他の各種センサ(21)からの信号の条件も満足していれば(ステップS3)、モータ(26)の駆動力で細断機構が動作し、紙葉の細断を開始する(ステップS４)。
【００２４】
紙葉の細断が完了したことを用紙センサ(19)が検出すると(ステップS5)、ＣＰＵ(11)はモータドライバー(27)を介してモータ(26)の回転を５秒後に停止させると共に、タイマ(14)による計測を停止させ、かつ、このタイマ(14)が計測した時間をＥＥＰＲＯＭ(15)にモータ(26)の稼働時間として、前回までの計測値に積算して記憶する(ステップS6)。また、ステップ(S6)からはステップ(S1)へ戻り、用紙センサ(S19)が再び紙葉を検出するのを待つ。用紙センサ(S19)が再び紙葉を検出すると同じ動作を繰り返す。
【００２５】
なお、ステップ(S3)において、緊急時にストップスイッチ(６)をＯＮ(押下)して、そのＯＮを検出したとき、及び他の各種センサ(21)がエラーを検出した場合は、ステップ(S3)からステップ(S7)に移行し、ＣＰＵ(11)は表示ドライバー(25)を介してランプ(24)を点灯させてエラーを表示した後、直ちにモータドライバー(27)を介してモータ(26)の回転を停止させると同時にタイマ(14)による計測を停止させ、かつ、このタイマ(14)が計測した今回の時間をＥＥＰＲＯＭ(15)にモータ(26)の稼働時間として、前回までの計測値に積算して記憶する(ステップS8)。
【００２６】
その後、作業者等がエラーを排除するのを待つ(ステップS9)。エラーが排除されると、各種センサ(21)におけるエラーを検出したセンサがオフされ(ステップS10)、エラー表示ランプ(24)も消灯する。続いて、作業者がスタート釦となる正転スイッチ(７)または逆転スイッチを押すと(ステップS10)、ステップ(S1)に移行して、同じ動作を繰り返す。
【００２７】
したがって、この制御装置では、モータ(26)が実際に駆動されている時間をタイマ(14)で計測し、この値をＥＥＰＲＯＭ(15)にモータ(26)の稼働時間として積算して記憶するので、ＥＥＰＲＯＭ(15)にはモータ(26)の累積稼働時間が記憶されることになる。
【００２８】
そして、ＥＥＰＲＯＭ(15)に記憶されたモータ(26)の累積稼働時間のデータは、例えば図４に示すフローチャートで示すように、ある一定の周期で割り込み通信を起動させ、ＥＥＰＲＯＭ(15)に記憶されているモータ(26)の累積稼働時間のデータ情報を、シリアルポート(16)に接続されている端末(28)に送る。端末(28)側では、この累積稼働時間のデータ情報からから実際の稼働状況に応じた保守点検の時期や部品交換等の管理を無駄なく適切に行うことができる。また、端末(28)側から必要に応じてコントローラ(10)に所定の通信手順に従ってアクセスし、ＥＥＰＲＯＭ(15)に記憶されている稼働状況のデータ情報を読み出して見ることができる。
【００２９】
なお、上記の実施形態において、次のようにして実施するようにしてもよい。（i）モータ(26)の駆動時に、モータ駆動電流検出センサ(22)でモータ(26)の電流と電圧を連続的に測定し、これをモータ(26)の負荷係数に置き換え、この負荷計数をタイマ(14)の計測値に乗じてモータ(26)の稼働時間を記憶するようにする。これによれば、モータ(26)に加わる負荷からシュレッダー(１)の負荷量を推測し、この負荷量を加味して、ＥＥＰＲＯＭ(15)にモータの稼働時間を記憶するので、単なる稼働累計時間だけでなしに、使用環境も加えた管理が可能になる。
（ii）細断機構から発生する振動及び音の大きさ等を検出し、これらの情報を細断機構の負荷係数に置き換え、タイマの計測値にこの負荷係数を乗じてモータの稼働時間をＥＥＰＲＯＭ(15)に記憶するようにする。これによれば、細断機構から発生する振動及び音の大きさ等から、シュレッダー(１)のモータ(26)や各種機構部品に加わる負荷量を推測し、この負荷量を加味して、ＥＥＰＲＯＭ(15)にモータ(26)の稼働時間を記憶するので、単なる稼働累計時間だけでなしに、使用環境も加えた管理が可能になる。
【図面の簡単な説明】
【００３０】
【図１】本発明の実施形態における制御装置を適用したシュレッダーの外観斜視図である。
【図２】同上シュレッダーの制御系を示す機能ブロック図である。
【図３】同上制御系で稼働時間データを記憶する手順の一例を示すフローチャートである。
【図４】同上制御系で記憶している稼働時間データを外部に送る手順の一例を示すフローチャートである。
【符号の説明】
【００３１】
(１)シュレッダー
(２)筐体
(３)文書投入口
(４)操作パネル
(５)扉
(６)ストップスイッチ
(７)正転スイッチ
(８)逆転スイッチ
(９)表示部
(10)コントローラ
(11)ＣＰＵ(制御手段)
(12)ＲＡＭ
(13)ＲＯＭ
(14)タイマ
(15)ＥＥＰＲＯＭ(記憶手段)
(16)シリアルポート(ＳＩＯ)
(17)Ｉ／Ｏポート
(18)Ｉ／Ｏポート
(19)用紙センサ
(20)ボタンスイッチ
(21)各種センサ
(22)モータ駆動電流検出センサ
(23)振動・騒音検出センサ
(24)ランプ
(25)表示ドライバー
(26)モータ
(27)モータドライバー
(28)端末
(29)信号変換機(ＲＳ２３２Ｃ)
【図１】
2007136264.tif 000003
【図２】
2007136264.tif 000004
【図３】
2007136264.tif 000005
【図４】
2007136264.tif 000006